(57)【要約】【課題】洗濯を重ねるような長期の継続使用に適し、また、ファッション性を容易に高めることができる帽子の提供を目的とする。  また、上記帽子の構成に適した基体、および外装体の提供を目的とする。【解決手段】所定の帽子の外装を形成可能な外装体１と、  少なくとも頭に着用しやすい形態を確保可能で、前記外装体１に着脱自在に装着されてほぼ所定の帽子の外装を確保するように外装体１を内方から支えるとともに、外装体１内方に頭に着用しやすい着用部２を形成する基体３とを有し、共通の基体３に異なる外装体１を付け替えて簡易に脱着させることが可能に帽子を構成する。【選択図】図４
2008163524.tif 000002
【特許請求の範囲】
【請求項１】
所定の帽子の外装を形成可能な外装体と、
少なくとも頭に着用しやすい形態を確保可能で、前記外装体に着脱自在に装着されてほぼ所定の帽子の外装を確保するように外装体を内方から支えるとともに、外装体内方に頭に着用しやすい着用部を形成する基体とを有し、共通の基体に異なる外装体を付け替えて簡易に脱着させることが可能な帽子。
【請求項２】
前記基体は、略半球形状のメッシュ地からなるクラウン部の下端縁部に外装体への装着部を配置して形成され、
前記外装体は、装着部によって着用状態における頭周りの周方向を拘束されてほぼ所定の帽子の外装を確保するように支えられる請求項１記載の帽子。
【請求項３】
前記クラウン部には、下端縁部の内径をサイズ調整自在な調整部が形成されて装着部を介してサイズ調整が外装体に反映される請求項２記載の帽子。
【請求項４】
前記基体には汗取りが着脱自在に装着される請求項１ないし３のいずれかに記載の帽子。
【請求項５】
前記基体には頭頂部に髪を束ねて引き出し可能な開口部が形成される請求項１ないし４のいずれかに記載の帽子。
【請求項６】
正規の形状が頭に着用しうる略半球状で、少なくとも頭に着用しやすい形態を確保可能なメッシュ地からなるクラウン部の下端縁部に着脱自在なスナップの一方を連設して形成され、スナップの他方が固定された帽子の外装体の内方に装着可能な帽子の基体。
【請求項７】
所定の帽子の外装を形成可能で、該外装形成時における頭周りの下端内周部にスナップの一方が連設され、スナップの他方が固定された帽子の基体を内方に装着可能な帽子の外装体。
【発明の詳細な説明】
【技術分野】
【０００１】
本発明は帽子に関するものである。
【背景技術】
【０００２】
帽子には、ファッション性や実用性などを考慮して、キャップやハット、バンダナなど様々なつくりのものがあり、その素材にも多様なものが用いられる。これらの帽子の着用は、例えばキャップなどは頭に外嵌させるようにして、バンダナなどの場合には頭に巻き付けて後頭部で結ぶようにしてなされる。しかしながら高齢者や非健常者の場合には、後頭部で結ぶ行為自体が困難なため、着用できる帽子が限られてしまったり、あるいは結び付けが不十分で外れやすくなったり、形が崩れやすくなったりするなどといった問題がある。
【０００３】
この点、特許文献１には、バンダナの頭周りへの装着部に対して伸縮性を備えたリング状のバンドを縫着し、バンドによって頭周りに装着できるようにすることにより、被りやすさと頭部への安定性を高めたバンダナ風帽子が提案されている。
【特許文献１】特開平１０-２２６９１４号公報
【発明の開示】
【発明が解決しようとする課題】
【０００４】
しかしながら、上述した従来例には以下の欠点がある。すなわち、この従来例において、バンドは、バンダナに所望される所定の外装の形成、および、頭に着用できる形状という帽子本来の機能の確保のための基体として機能し、これに対してバンダナは、所定の外装を形成するデザイン手段としての外装体として機能する。このため、バンドとバンダナ、すなわち基体と外装体はそれぞれの役目が異なるが、これらが縫着されて一体にされることにより、例えば、一方のみが汚れたり消耗したりしても、汚れや消耗がない他方も同時に洗濯したり、交換したりしなければならなくなる。
【０００５】
また、このように基体と外装体が一体であると、洗濯がしづらくなり、きれいに洗濯するには手間がかかってしまう。特に、洗濯を繰り返すと、バンダナとバンドを縫い付けている糸が解れたり、縫着された部位が引きつるようになって型くずれを起こしやすい。
【０００６】
さらに、一般にファッション性を求めて異なる帽子を代わる代わる着用したい場合、例えば、上述したバンドを備えたバンダナとは別にキャップなども着用したい場合、サイズが一緒であっても各々の帽子のつくりや素材の違いによって被り心地が微妙に変化し、一部の帽子では被りづらさによってファッションが実質的に制限されるということもある。
【０００７】
本発明は、以上の欠点を解消すべくなされたものであって、洗濯を重ねるような長期の継続使用に適し、また、ファッション性を容易に高めることができる帽子の提供を目的とする。
【０００８】
また、本発明の他の目的は、上述の帽子の構成に適した基体、および外装体の提供を目的とする。
【課題を解決するための手段】
【０００９】
本発明によれば上記目的は、
所定の帽子の外装を形成可能な外装体１と、
少なくとも頭に着用しやすい形態を確保可能で、前記外装体１に着脱自在に装着されてほぼ所定の帽子の外装を確保するように外装体１を内方から支えるとともに、外装体１内方に頭に着用しやすい着用部２を形成する基体３とを有し、共通の基体３に異なる外装体１を付け替えて簡易に脱着させることが可能な帽子を提供することにより達成される。
【００１０】
帽子は、外装体１に基体３を着脱自在に取り付けて形成され、頭への着用や保形性を確保する帽子本来に必須の機能部材としての基体３と、この機能部材により確保された機能の上で帽子としての所望の所定の外装を付与するためのデザイン部材としての外装体１とを有する。このため汗などで汚れた場合には基体３のみを洗濯し、デザイン変更のときには外装体１のみを交換すればよいために、効率的な使用、洗濯をすることができる。また、洗濯の際には基体３を外装体１から取り外せば、洗濯に過剰な手間を生じさせることはない。
【００１１】
外装体１は、例えばバンダナなどのように単なる一枚の布地が頭への着用によって帽子としての所定の外装を形成するものでも、キャップなどの適宜の強度を備えていて形さえ整えれば所定の外装を形成できるもののいずれでも足りる。基体３は、このような外装体１に帽子としての所定の外装を確保するとともに、頭に着用しやすい着用部２を形成するもので、内部に頭が嵌合でき、内方から外装体１を所定の外装に支えることができる形状、例えば頭の形状に代替可能な略半球形状、あるいは略円筒形状など外装体１の外装を考慮して適宜に構成することができる。
【００１２】
この基体３は、少なくとも頭に着用しやすい形態を確保可能で、したがって頭から外した状態のまま、基体３上で外装体１を所定の外装にして帽子を組み上げることが可能になる。例えば、バンダナなども従来のように後頭部ではなく目の前で端部同士を結び付けることができるため、非健常者や高齢者であってもしっかりと結ぶことができるし、外観を俯瞰でチェックすることもできる。また、基体３を外装体１に一旦装着すれば、以後は取り外さない限りキャップのような感覚で極めて簡単に脱着することができる。さらに、バンダナの端部同士の結び付けは頭への着用に直接的な関係がないためにあまりきつく結ぶ必要もなく、緩みにくい。
【００１３】
なお、本発明において頭に着用しやすい形態とは、着用を準備する際のテーブルの上などで望ましくは自立、例えば上述した基体３の略半球形状を保持できるようなもの、あるいは、柔軟性による着用のしやすさを重視した場合には、テーブルの上などで半球面を上方に向けたときにやや隆起する直立姿勢を維持でき、横向きにしたときにはきれいに２つ折りになるような程度でも足りる。
【００１４】
加えて、外装体１としてデザインの異なるキャップやバンダナなどの多数を予め用意しておけば、基体３を共用してデザインを変化させることができ、被り心地を維持してファッションを楽しむことができる。このような外装体１の変更容易性や基体３の共通利用性は、例えば調理と給仕など担当する仕事に応じて外観の異なるものを使い分けている飲食店等のユニフォームとしても有効であり、基体３を共用にすることによって管理の手間を軽減することができる。この場合、基体３を従業員各人に固有に支給し、また外装体１を共通して支給すれば、サイズの不一致や衛生上の問題が生じることもない。
【００１５】
また、基体３は、通気性の高いメッシュ地からなるクラウン部４を備え、頭の上部を外装体１との２重構造にすることが外装体１の保形性の点では望ましく、さらに、外装体１への装着部５を頭周りの周方向に設ければ、外装体１との装着面積が少なくても保形性に優れる。基体３の外装体１に対する着脱自在な連結には、例えば面ファスナを用いてもよいが、凹凸の一組の止め具等からなるいわゆるスナップ９Ａ、９Ｂを採用した場合には、不用意に髪に絡みつくようなおそれがない。
【００１６】
加えて、基体３に調整部６を設けてサイズ調整自在にすれば、量産性を高めることができ、また、汗取り７を基体３に着脱自在に形成すれば、洗濯量をより低減することができる。したがってこの場合には、上述したユニフォームとしては、外装体１のみならず基体３をも従業員間で共通のものにしたり、従業員間で共用にしてもサイズや衛生上の問題は生じにくく、汎用性、量産性に優れる。なお、上述した汗取り７や基体３については、着用時に肌に面することから、吸汗性や速乾性、接触冷間性を備えた素材で形成することが望ましい。また、基体３に形成する調整部６を外装体１への装着部５が配置されるクラウン部４の下端縁部にすれば、基体３のサイズ調整を外装体１に反映させてサイズ調整の外装体１の保形性への影響を軽減することができる。
【００１７】
さらに、上述したように基体３をクラウン部４を備えた略半球形状にした場合、髪を覆って整髪料等の外装体１への付着を防止できる反面、長髪の場合には嵩張って着用を不安定にするおそれもある。この場合、基体３や外装体１の後頭部に髪を束ねて引き出し可能な穴等を設ければ、着用状態をより安定させ、また、外装体１の外観を良好に維持することができる。さらに、基体３の頭頂部に髪を束ねて引き出し可能な開口部８を設ければ、髪を上に上げて外装体１の内部に収容させることも可能で、髪を露出させたくない場合に外装体１の外観を維持する手法として有効である。この場合、外装体１には上部に余裕を持てるもの、例えばバンダナ等の結び具合を調整できるものや、コック帽などを用いることが望ましい。
【発明の効果】
【００１８】
以上の説明から明らかなように、本発明によれば、洗濯を重ねるような長期の継続使用に適し、また、ファッション性を容易に高めることができる帽子を提供することができるために、非健常者や高齢者であっても手軽にファッションを楽しむことができ、ユニフォームとして用いればこれを着用して提供されるサービスの質をさらに高めることができる。
【００１９】
また、上述の帽子の構成に適した外装体や基体を個別に提供することにより、基体を共用して多様な外装体を被れるためにさらに効率的な管理を行うこともできる。
【発明を実施するための最良の形態】
【００２０】
図１ないし図５に本発明の帽子を飲食店のユニフォームとして用いた場合の実施の形態を示す。この実施の形態においてユニフォーム用帽子Ａは装着状態でバンダナ風の外観を形成するもので、略半球形状のメッシュ帽（基体３）にバンダナ風の帽子であるバンダナキャップ（外装体１）を取り付けて形成される。
【００２１】
メッシュ帽３は、図１および図２に示すように、頭部への着用状態において横顔方向に対応する長さが長い平面視楕円形で、頭に被ることができる程度の大きさ、例えば５４．５ｃｍから６４ｃｍ程度で利用者に合わせて適宜の帽子サイズが使用される。このメッシュ帽３はナイロンやポリエステル等の適宜の合成繊維からなる細い糸を用いて形成されるメッシュサイズが１ｍｍ程度と小さい柔軟性の高いメッシュ素材により形成され、剛性に優れる半球形状と相まって例えばテーブル上に置いたときにはやや頂部近傍を凹ませながら直立した状態になる。略半球形状をなすクラウン部４は、上記メッシュ素材を略三角形に裁断し、蓮華状に並べて隣接する辺縁同士を縫い合わせて形成される。図２（ａ）に示す１１は略三角形のメッシュ素材の縫い合わせ部分を始末するためのバイアステープであり、両端押さえ縫いが施される。
【００２２】
また、上記メッシュ帽３は、髪を束ねて引き出すための髪出し穴１２と、サイズを調整する調整部６と、上述したバンダナキャップを装着する装着部５とを有する。髪出し穴１２は、図１および図２に示すように、メッシュ帽３の上部に形成される上部髪出し穴（開口部８）と、後部に形成される後部髪出し穴１３とからなり、着用者が長髪の場合にそれぞれ上部および後部から髪を出すことによりメッシュ帽３の頭へのフィット感を高める。上部髪出し穴８は、図２（ａ）に示すように後方に向かって髪を束ねやすいようにメッシュ帽３前方に向かって凸な円弧状の開口前端縁８ａを備え、メッシュ帽３後方および側方の開口端縁は直線状に形成される。また後部髪出し穴１３は、キャップ等に一般的に設けられるものと同じであり、クラウン部４の後方を切り落とすようにして形成される。なお、髪出し穴１２の周縁はバイアステープ１１’を地縫いして裏側に片倒し押さえ縫いすることにより始末される。
【００２３】
調整部６は、図１（ｂ）および図２（ａ）に示すように、後部髪出し穴１３を挟んでクラウン部４の下端縁部に沿って両側から張り出すサテンテープ６ａの対の後部髪出し穴１３に対応する長さを変更させることによりクラウン部４の下端周縁の長さを伸縮させるもので、後部髪出し穴１３で向き合うサテンテープ６ａの対は締結位置を変更可能なアジャスタ６ｂを備えたバックル６ｃにより連結される。なお、図１（ｂ）において６ｄはバックル６ｃの操作ボタンである。
【００２４】
装着部５は、メッシュ帽３のクラウン部４の外面側に下端縁部に沿ってテーピースナッパー５ａ（登録商標）を貼り付けて形成される。このテーピースナッパー５ａは細幅で極めて柔軟なテープ５ｂに所定間隔でスナップ９Ａを溶着したもので、弾発係止可能なスナップ９Ａ、９Ｂの凹凸の一方が係止部をクラウン部４の外方に向けるようにして配設される。以上の装着部５はメッシュ帽３の後方、すなわちサテンテープ６ａが取り付けられる後部髪出し穴１３近傍を除いてクラウン部４の下端縁部のほぼ全周に渡って形成される。
【００２５】
また、着用者の汗による汚れを防ぐために、メッシュ帽３の前方内面側の下端縁部には汗取り７が取り付けられる。汗取り７は高吸放熱性および接触冷感性を備えたニット裏地であり、図２（ｂ）に示すようにメッシュ帽３への取り付け面には上述と同じテーピースナッパー１４が縫い付けられ、対峙するクラウン部４の前方下端縁部にも同様に縫い付けられるテーピースナッパー１４’によりメッシュ帽３に着脱自在に装着される。この汗取り７は角部を円弧状に裁断して額への当たりがやさしくなるように形成される。なお、同図において１４ａ、１４ｂはスナップである。
【００２６】
一方、バンダナキャップ１は、図３に示すように、頭部上部に被さる覆い布１５と、頭側部に沿って巻き付けられて結ぶための一対の締め付け片１６、１６とを有する。覆い布１５はタック１５ａを入れることにより頭部前面に被さる立体形状に成形され、後方に向かって適宜長寸にされて後頭部を覆うことができるように形成される。また、締め付け片１６は、覆い布１５の下端縁を細幅に裁断して後方に向かって延ばして形成される。
【００２７】
このバンダナキャップ１は、覆い布１５と締め付け片１６を形成するポリエステル等の合成繊維からなる薄手で柔軟な一枚の布片を裁断、縫製し、上述したタック１５ａを入れて形成される。また、締め付け片１６の額に被さる前部内面側には、上述した装着部５に縫い付けられるテーピースナッパー５ａに係止可能なテーピースナッパー１７が縫い付けられてスナップ１７ａを備えた被装着部１８が形成される。
【００２８】
以上のユニフォーム用帽子Ａは、着用する際には、メッシュ帽３にバンダナキャップ１を被せて装着部５と被装着部１８を連結し、メッシュ帽３後方において一対の締め付け片１６、１６が結び付けられる。極めて軽量のバンダナキャップ１を被せてもメッシュ帽３はテーブル上で頂部近傍をやや凹ませつつも直立した状態を維持することから、締め付け片１６、１６の結び付けは人の頭にバンダナキャップ１を被せたときと近似する状態であり、簡単にバンダナキャップ１を組み上げることができる。
【００２９】
図４に示すように、この状態でメッシュ帽３はバンダナキャップ１の内方にほぼ隠れ、これによりバンダナキャップ１内方には、メッシュ帽３によって形成される頭部にほぼ密着嵌合可能な半球形状の着用部２が形成される。上述したようにメッシュ帽３は半球形状である上に、バンダナキャップ１により周縁を拘束されることによって、適宜の柔軟性を備えつつもバンダナキャップ１を頭への着用状態に近い形態に保持し、これにより頭に着用していなくても頭に着用しやすい状態を確保して持ち運ぶことができる。また、このときユニフォーム用帽子Ａの全体を俯瞰してその外観の出来をチェックすることができ、例えば締め付け片１６を結び直すなどして外観を目の前で修正することもできる。
【００３０】
調整部６を頭周りのサイズに調整して着用すれば、図４（ｂ）に示すように、外観はあたかもバンダナキャップ１を被っている様子であり、この状態で着用部２によって頭にしっかりと固定される。締め付け片１６、１６の結び目１６ａやその結び付けによる覆い布１５のやや緊張した状態は、バンダナキャップ１の外観を装うものとして機能し、着用した状態で動いてもほとんど緩むようなことはない。
【００３１】
また、長髪の場合には、図４（ｂ）に２点鎖線で示すように上部髪出し穴８から髪１９をメッシュ帽３外方に引き出せば、着用部２の頭２０との密着感は確保され、容易に脱げることがない上に、メッシュ帽３外方に引き出された髪１９は上部髪出し穴８で束ねられて乱れにくい状態でバンダナキャップ１内方に収容されることから、多少の動きでは整然とした外観が維持され、また、毛髪が落ちてしまうようなことはない。
【００３２】
さらに、図５（ａ）に示すように、汗取り７は額に当接し、この状態で作業により体温が上昇しても汗取り７の高吸放熱性や接触冷感の作用により発汗が押さえられる上に、汗をかいても汗取り７が吸収するためにバンダナキャップ１が汚れることはない。
【００３３】
この後、ユニフォーム用帽子Ａを外すと、着用前と同様にバンダナキャップ１はメッシュ帽３に支えられ、頭に着用しやすい形態が確保される。したがって再度着用する際は、バンダナキャップ１の締め付け片１６を結ぶ必要はなく、簡単にバンダナキャップ１を被ったような外観を再現でき、また、メッシュ帽３により形成される着用部２によって締め付け片１６等の結び目１６ａが緩むことなくバンダナキャップ１は単に締め付け片１６を結んで着用した状態よりもしっかりと頭に固定される。
【００３４】
汗取り７が汗やファンデーションで汚れた場合には、メッシュ帽３から取り外して洗濯、あるいは廃棄して別の汗取り７と交換すれば良く、これによりユニフォーム用帽子Ａを清潔に維持できる。また、メッシュ帽３やバンダナキャップ１が汚れたら、装着部５と被装着部１８を外して必要に応じて個々に洗濯すればよい。
【００３５】
なお、以上においては上部髪出し穴８から髪を引き出す場合を示したが、ポニーテールのように後部髪出し穴１３から引き出すことも可能で、この場合図５（ｂ）に示すようにバンダナキャップ１の後方から外部に髪１９を出し、髪１９を下ろすこともできる。また、バンダナキャップ１については１枚の布片を裁断、縫製し、タック１５ａを設けて立体形状にする場合を示したが、別個の布片からなる覆い布１５と締め付け片１６を縫製したり、あるいは複数の布片を縫製してタック１５ａを付けることにより覆い布１５を立体形状にすることも可能である。
【００３６】
さらに、上述したメッシュ帽３には、耳出し穴２６を設けることもできる。図６（ａ）に示すように、耳出し穴２６は、例えばクラウン部４の下端縁部の一部を上方に向かって略半円状に切り欠いて形成される。この耳出し穴２６はバイアステープ１１”等により適宜周縁を始末、補強して耳周辺への当たりをやさしくされ、また、メッシュ帽３の剛性をあまり損ねないようにされる。したがってこの場合図６（ｂ）に示すように、耳出し穴２６からメッシュ帽３外部に耳２７を露出させることにより、メッシュ帽３の頭へのフィット感をより良好にすることができる。
【００３７】
図６及び図７に本発明の他の実施の形態を示す。なお、この実施の形態において、上述した実施の形態と同一の構成要素は図中に同一の符号を付して説明を省略する。この実施の形態においてメッシュ帽３は和帽子（外装体１）に装着され、和帽子１の外観が形成される。
【００３８】
和帽子１は、綿等の天然繊維を含み、上述したバンダナキャップ１よりもやや高い剛性を備える。この和帽子１は、布片を裁断、縫製して有底筒状にした後、図６（ｄ）に２点鎖線で示す折り返し線２１に沿って折り返し、図６（ａ）ないし（ｃ）に示すように側壁を二重にして高さ方向の保形性が高められる。被装着部１８は図６（ｄ）に示す状態から図６（ｅ）に示すように裏返して表面にテーピースナッパー１８を縫い付けて形成される。なお、図６において２２は和帽子１の天井面、すなわち上述した有底筒状の態様における底面である。
【００３９】
また、後部には、メッシュ帽３を装着した状態で後部髪出し穴１３に連通する髪出しスリット２３が形成される。この髪出しスリット２３は、上述したように側壁が二重な和帽子１の構造に対応して、図６（ｅ）に示すように折り返し線２１を跨いで形成される。同図において２４は髪出しスリット２３を狭めて外観を高めるためのゴムであり、その端部は和帽子１を形成する二重構造の布片の間に挿入されて適宜縫い付けられる。さらに、前後方向に対称な形状の和帽子１の形状を確保するために、髪出しスリット２３の両側には調整部６のサテンテープをテーピースナッパー１７の長手方向にガイドして対称形状を維持するためのベルト通し２５が形成される。
【００４０】
一方、メッシュ帽３は、この実施の形態においては、上述した実施の形態に比べてやや太い糸を用いたメッシュサイズが３ｍｍ程度とやや大きい、剛性の高いメッシュ素材により形成される。したがって剛性に優れる半球形状と相まって、例えば机上に置いたときにはほぼ変形することない略半球形状の起立姿勢を保持する。また、和帽子１の天井面を押し上げた際に整髪料等が付着することを防止するために、図７（ａ）に示すように、上部髪出し穴８を有さずに形成される。
【００４１】
したがってこの実施の形態において、ユニフォーム用帽子Ａは、メッシュ帽３に和帽子１を被せて装着部５を被装着部１８に取り付けた後、バックル６ｃを外してサテンテープ１６をベルト通し２５に通してから、再度バックル６ｃを嵌めて形成される。この状態で調整部６を調整すれば、ベルト通し２５により水平姿勢を保持するサテンテープ１６は前後方向の対称形を維持しつつ和帽子１の内径を縮径させる。また、剛性の高いメッシュ帽３は、装着に伴って和帽子１の天井面２２を押し上げ、あたかも着用した状態を再現する。着用した後、外しても和帽子１の天井面２２は頭部に沿って膨らんだような形態を維持し、また、メッシュ帽３が剛性に優れるために容易に着用しにくい形態に県警することはない。
【００４２】
なお、以上のいずれの実施の形態においても、着用部２に頭を密着させる場合を示したが、着用部２を頭のサイズに比べて多少緩くしても半球形状によりしっかりと頭がサポートされるためにユニフォーム用帽子Ａが外れることはない。また、斜めに被るデザインのユニフォーム用帽子Ａの場合には、装着部５を斜めに形成すれば被りやすさや保形性が損ねられることはない。
【図面の簡単な説明】
【００４３】
【図１】基体を示す図で、（ａ）は正面図、（ｂ）は側面図である。
【図２】基体を示す図で、（ａ）は底面図、（ｂ）は図１（ｂ）の２Ｂ-２Ｂ線断面図である。
【図３】外装体を示す図で、（ａ）は側面図、（ｂ）は底面図である。
【図４】本発明の帽子を示す図で、（ａ）は底面図、（ｂ）は側面図である。
【図５】着用状態を説明する図で、（ａ）は汗取りを示す要部断面図、（ｂ）は髪の処理が異なる場合を説明する側面図である。
【図６】変形例を示す図で、（ａ）は基体の側面図、（ｂ）は帽子の着用状態を説明する側面図である。
【図７】本発明の他の実施の形態を示す図で、（ａ）は外装体の正面図、（ｂ）は外装体の背面図、（Ｃ）は外装体の縦断面図、（ｄ）は外装体の組み立て方を説明する正面図、（ｅ）は髪出しスリットの加工などを説明する背面図である。
【図８】本発明の他の実施の形態を示す図で、（ａ）は基体の側面図、（ｂ）は帽子の側面図である。
【符号の説明】
【００４４】
１    外装体
２    着用部
３    基体
４    クラウン部
５    装着部
６    調整部
７    汗取り
８    開口部
９Ａ  スナップ
９Ｂ  スナップ
【図１】
2008163524.tif 000003
【図２】
2008163524.tif 000004
【図３】
2008163524.tif 000005
【図４】
2008163524.tif 000006
【図５】
2008163524.tif 000007
【図６】
2008163524.tif 000008
【図７】
2008163524.tif 000009
【図８】
2008163524.tif 000010